(57)【要約】      （修正有）【課題】情報処理装置から印刷装置に印刷データを送信するシステムにおいて、情報処理装置の操作画面と印刷装置の操作画面のどちらをユーザに使用させるかを決定する。【解決手段】取得手段は、印刷装置１００に表示される操作画面に関する第１情報を取得する。送信手段は、取得手段によって取得された第１情報と、携帯端末２００に表示される操作画面に関する第２情報との比較の結果が、携帯端末２００に表示される操作画面よりも印刷装置１００に表示される操作画面が優位であることを示す場合に、印刷装置１００に表示された操作画面上で指定されたパラメータに応じた印刷を実行させるための印刷データを印刷装置１００に送信する。【選択図】図６
2015072546.tif 000002
【特許請求の範囲】
【請求項１】
印刷装置に表示される操作画面に関する第１情報を取得する取得手段と、
前記取得された第１情報と、自装置に表示される操作画面に関する第２情報との比較の結果が、自装置に表示される操作画面よりも前記印刷装置に表示される操作画面が優位であることを示す場合に、前記印刷装置に表示された操作画面上で指定されたパラメータに応じた印刷を実行させるための印刷データを前記印刷装置に送信する送信手段と
を備えた情報処理装置。
【請求項２】
前記比較の結果が自装置に表示される操作画面よりも前記印刷装置に表示される操作画面が優位であることを示す場合に、前記パラメータの指定を前記印刷装置に表示された操作画面上で行うか否かの指示を受け付ける受付手段を有し、
前記送信手段は、前記パラメータの指定を前記印刷装置に表示された操作画面上で行う旨の指示が前記受付手段によって受け付けられた場合に、前記印刷データを送信する
請求項１に記載の情報処理装置。
【請求項３】
前記印刷装置に表示された操作画面上で指定されたパラメータを受信する受信手段と、
印刷データを前記受信されたパラメータに応じてページ記述言語に変換する変換手段と
を備え、
前記送信手段は、前記変換された印刷データを前記印刷装置に送信する
請求項１に記載の情報処理装置。
【請求項４】
自装置に表示された操作画面上で印刷のパラメータの指定を受け付けるパラメータ受付手段を備え、
前記送信手段は、前記第１情報と前記第２情報との比較の結果が、自装置に表示される操作画面よりも前記印刷装置に表示される操作画面が優位であることを示さない場合に、前記パラメータ受付手段によって指定が受け付けられたパラメータと前記印刷データとを前記印刷装置に送信する
請求項１乃至３のいずれか一項に記載の情報処理装置。
【請求項５】
前記送信手段は、前記印刷データの格納場所に関する情報を送信する
請求項１乃至４のいずれか一項に記載の情報処理装置。
【請求項６】
前記取得手段は、近距離無線通信手段によって前記印刷装置から前記第１情報を取得し、
前記送信手段は、前記近距離無線通信手段よりも通信速度の高速な通信手段によって少なくとも前記印刷データを送信する
請求項１乃至５のいずれか一項に記載の情報処理装置。
【請求項７】
印刷装置に表示される操作画面に関する第１情報を取得する取得手段と、
前記取得された第１情報と、自装置に表示される操作画面に関する第２情報との比較の結果が、自装置に表示される操作画面よりも前記印刷装置に表示される操作画面が優位であることを示す場合に、前記印刷装置に表示された操作画面上で指定されたパラメータに応じた印刷を実行させるための印刷データを前記印刷装置に送信する送信手段と
を備えた情報処理装置と、
前記情報処理装置から前記パラメータと印刷データとを受信する受信手段と、
自装置に表示された操作画面上で印刷のパラメータの指定を受け付ける受付手段と、
前記受信手段によって印刷のパラメータが受信されなかった場合に、当該印刷データと前記受付手段によって指定が受け付けられたパラメータとに応じた印刷を実行する実行手段と
を備えた印刷装置と
を備えた印刷システム。
【請求項８】
コンピュータを、
印刷装置に表示される操作画面に関する第１情報を取得する取得手段と、
前記取得された第１情報と、前記コンピュータに表示される操作画面に関する第２情報との比較の結果が、前記コンピュータに表示される操作画面よりも前記印刷装置に表示される操作画面が優位であることを示す場合に、前記印刷装置に表示された操作画面上で指定されたパラメータに応じた印刷を実行させるための印刷データを前記印刷装置に送信する送信手段
として機能させるためのプログラム。
【請求項９】
情報処理装置に表示される操作画面に関する第１情報を取得する取得手段と、
前記情報処理装置から印刷データを受信する受信手段と、
自装置に表示された操作画面上で印刷のパラメータの指定を受け付ける受付手段と、
前記取得された第１情報と、自装置に表示される操作画面に関する第２情報との比較の結果が、前記情報処理装置に表示される操作画面よりも自装置に表示される操作画面が優位であることを示す場合に、前記受信手段によって受信された印刷データと前記受付手段によって指定が受け付けられたパラメータとに応じた印刷を実行する実行手段と
を備えた印刷装置。
【発明の詳細な説明】
【技術分野】
【０００１】
本発明は、情報処理装置、印刷システム、プログラム及び印刷装置に関する。
【背景技術】
【０００２】
特許文献１には、携帯端末から受信したデータに基づいて印刷装置が印刷を行う構成が記載されている。印刷装置は、設定し得る候補値（例えば、両面印刷のｏｎ／ｏｆｆ、カラー印刷のｏｎ／ｏｆｆなど）を携帯端末に送信する。携帯端末は、受信した候補値を表示し、ユーザが指定した候補値を印刷装置に送信する。
【先行技術文献】
【特許文献】
【０００３】
【特許文献１】特開２００９−３７５６６号公報
【発明の概要】
【発明が解決しようとする課題】
【０００４】
本発明は、情報処理装置から印刷装置に印刷データを送信するシステムにおいて、情報処理装置の操作画面と印刷装置の操作画面のどちらをユーザに使用させるかを決定する技術を提供することを目的とする。
【課題を解決するための手段】
【０００５】
請求項１に係る発明は、印刷装置に表示される操作画面に関する第１情報を取得する取得手段と、前記取得された第１情報と、自装置に表示される操作画面に関する第２情報との比較の結果が、自装置に表示される操作画面よりも前記印刷装置に表示される操作画面が優位であることを示す場合に、前記印刷装置に表示された操作画面上で指定されたパラメータに応じた印刷を実行させるための印刷データを前記印刷装置に送信する送信手段と
を備えた情報処理装置である。
【０００６】
請求項２に係る発明は、請求項１に記載の情報処理装置において、前記比較の結果が自装置に表示される操作画面よりも前記印刷装置に表示される操作画面が優位であることを示す場合に、前記パラメータの指定を前記印刷装置に表示された操作画面上で行うか否かの指示を受け付ける受付手段を有し、前記送信手段は、前記パラメータの指定を前記印刷装置に表示された操作画面上で行う旨の指示が前記受付手段によって受け付けられた場合に、前記印刷データを送信する。
【０００７】
請求項３に係る発明は、請求項１に記載の情報処理装置において、前記印刷装置に表示された操作画面上で指定されたパラメータを受信する受信手段と、印刷データを前記受信されたパラメータに応じてページ記述言語に変換する変換手段とを備え、前記送信手段は、前記変換された印刷データを前記印刷装置に送信する。
請求項４に係る発明は、請求項１乃至３のいずれか一項に記載の情報処理装置において、自装置に表示された操作画面上で印刷のパラメータの指定を受け付けるパラメータ受付手段を備え、前記送信手段は、前記第１情報と前記第２情報との比較の結果が、自装置に表示される操作画面よりも前記印刷装置に表示される操作画面が優位であることを示さない場合に、前記パラメータ受付手段によって指定が受け付けられたパラメータと前記印刷データとを前記印刷装置に送信する。
請求項５に係る発明は、請求項１乃至４のいずれか一項に記載の情報処理装置において、前記送信手段は、前記印刷データの格納場所に関する情報を送信する。
請求項６に係る発明は、請求項１乃至５のいずれか一項に記載の情報処理装置において、前記取得手段は、近距離無線通信手段によって前記印刷装置から前記第１情報を取得し、前記送信手段は、前記近距離無線通信手段よりも通信速度の高速な通信手段によって少なくとも前記印刷データを送信する。
【０００８】
請求項７に係る発明は、印刷装置に表示される操作画面に関する第１情報を取得する取得手段と、前記取得された第１情報と、自装置に表示される操作画面に関する第２情報との比較の結果が、自装置に表示される操作画面よりも前記印刷装置に表示される操作画面が優位であることを示す場合に、前記印刷装置に表示された操作画面上で指定されたパラメータに応じた印刷を実行させるための印刷データを前記印刷装置に送信する送信手段とを備えた情報処理装置と、前記情報処理装置から前記パラメータと印刷データとを受信する受信手段と、自装置に表示された操作画面上で印刷のパラメータの指定を受け付ける受付手段と、前記受信手段によって印刷のパラメータが受信されなかった場合に、当該印刷データと前記受付手段によって指定が受け付けられたパラメータとに応じた印刷を実行する実行手段とを備えた印刷装置とを備えた印刷システムである。
【０００９】
請求項８に係る発明は、コンピュータを、印刷装置に表示される操作画面に関する第１情報を取得する取得手段と、前記取得された第１情報と、前記コンピュータに表示される操作画面に関する第２情報との比較の結果が、前記コンピュータに表示される操作画面よりも前記印刷装置に表示される操作画面が優位であることを示す場合に、前記印刷装置に表示された操作画面上で指定されたパラメータに応じた印刷を実行させるための印刷データを前記印刷装置に送信する送信手段として機能させるためのプログラムである。
【００１０】
請求項９に係る発明は、情報処理装置に表示される操作画面に関する第１情報を取得する取得手段と、前記情報処理装置から印刷データを受信する受信手段と、自装置に表示された操作画面上で印刷のパラメータの指定を受け付ける受付手段と、前記取得された第１情報と、自装置に表示される操作画面に関する第２情報との比較の結果が、前記情報処理装置に表示される操作画面よりも自装置に表示される操作画面が優位であることを示す場合に、前記受信手段によって受信された印刷データと前記受付手段によって指定が受け付けられたパラメータとに応じた印刷を実行する実行手段とを備えた印刷装置である。
【発明の効果】
【００１１】
請求項１、４、７、８、９に係る発明によれば、情報処理装置から印刷装置に印刷データを送信するシステムにおいて、情報処理装置の操作画面と印刷装置の操作画面のどちらをユーザに使用させるかを決定することができる。
請求項２に係る発明によれば、情報処理装置の操作画面と印刷装置の操作画面のどちらを使用するかをユーザに選択させることができる。
請求項３に係る発明によれば、印刷のパラメータを付加せずに印刷データを印刷装置に送信する構成と比べて、画質の低下を抑えることができる。
請求項５に係る発明によれば、情報処理装置から印刷装置に送信するデータの量を減らすことができる。
請求項６に係る発明によれば、近距離無線通信手段のみを用いる構成を比べて、印刷データの送信を高速化することができる。
【図面の簡単な説明】
【００１２】
【図１】実施形態の全体を示す図。
【図２】印刷装置１００のハードウェア構成を示す図。
【図３】携帯端末２００のハードウェア構成を示す図。
【図４】携帯端末２００の機能構成を示す図。
【図５】印刷装置１００の機能構成を示す図。
【図６】実施形態の動作を示す流れ図。
【図７】変形例３の動作を示す流れ図。
【図８】第１情報及び第２情報が複数の情報を含む例を示す図。
【発明を実施するための形態】
【００１３】
本発明の実施形態について説明する。図１は、実施形態の全体を示す図である。印刷装置１００は、印刷データに基づく画像を印刷する装置である。携帯端末２００は、本発明に係る情報処理装置の一例であり、例えば、スマートフォン、タブレット、ノート型のパーソナルコンピュータなどである。印刷装置１００及び携帯端末２００は、近距離無線通信（Near field communication、以下、ＮＦＣという。）を行う機能と、無線ＬＡＮ（Local Area Network）による通信を行う機能とを備える。
【００１４】
図２は、印刷装置１００のハードウェア構成を示す図である。
制御部４は、ＣＰＵ（Central Processing Unit）などの演算装置と、ＲＯＭ（Read Only Memory）やＲＡＭ（Random Access Memory）などの記憶装置とを備える（いずれも図示省略）。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部５は、例えばハードディスク記憶装置を備え、ＯＳやアプリケーションプログラムなど   が記憶されている。
【００１５】
ＮＦＣ通信部６は、携帯端末２００との間でＮＦＣによる通信を行うための通信Ｉ／Ｆであり、例えば、携帯端末２００のＮＦＣ通信部２０３に備えられた非接触型ＩＣカードとの間で通信を行うリーダライタである。ＮＦＣの規格は、例えば、ISO(International Organization for Standardization)/IEC(International Electrotechnical Commission) 18092である。ＮＦＣ通信部６は、ＵＩ（User Interface）部１に隣接した位置に設けられており、印刷装置１００の筐体の外側には、ＮＦＣ通信部６の位置を示す目印が設けられている。ＮＦＣ通信部６は、周期的に問い合わせ信号を発信し、この目印の位置にユーザが携帯端末２００をかざすと、携帯端末２００のＮＦＣ通信部２０３が問い合わせ信号を受信し、この受信を契機として、印刷装置１００と携帯端末２００とのＮＦＣが開始される。
【００１６】
無線ＬＡＮ通信部７は、印刷装置１００を無線ＬＡＮに接続するための通信Ｉ／Ｆ（Interface）である。無線ＬＡＮの規格は、例えば、IEEE(The Institute of Electrical and Electronics Engineers, Inc.)802.11シリーズのいずれかである。本実施形態における無線ＬＡＮは、例えば、携帯端末２００と印刷装置１００とがアクセスポイントやルータなどの通信設備を経由せずに通信を行うアドホックモードの無線ＬＡＮである。
なお、印刷装置１００には、印刷装置１００を有線通信のＬＡＮに接続するための通信Ｉ／Ｆや、印刷装置１００を電話回線に接続してファクシミリ装置との間で画像データの送受信を行うためのモデムなどの通信機能が備えられていてもよい（図示省略）。
【００１７】
読取部２は、原稿を光学的に読み取って画像データを生成する。具体的には、読取部２は、光源、光学系及び撮像素子を備え（いずれも図示省略）、プラテンガラス２Ａ上に載せられた原稿に対して光源が光を照射し、原稿で反射された反射光が光学系を介してＲ（Red）色、Ｇ（Green）色、Ｂ（Blue）色に分解されて撮像素子に入射する。撮像素子は、入射した光を信号に変換して画像処理部３に供給する。
【００１８】
画像処理部３は、画像データに対して画像処理を施して色毎、画素毎の階調を表す画像データを生成する。具体的には、画像処理部３は、読取部２から供給された信号をＡ／Ｄ（Analog/Digital）変換し、シェーディング補正、ガンマ補正、ノイズ除去、Ｒ色、Ｇ色、Ｂ色からＹ（Yellow）色、Ｍ（Magenta）色、Ｃ（Cyan）色、Ｋ（Black）色への変換、スクリーン処理などを施す。また、画像処理部３は、ページ記述言語で記述された印刷データをラスタデータに変換する機能を備え、外部から印刷データを受信した場合には、受信した印刷データをラスタデータに変換して上記の画像処理を施す。
【００１９】
搬送部３０は、搬送路３４に沿って記録媒体Ｐを搬送する。具体的には、媒体収容部３１には、紙など、シート状の記録媒体Ｐが積み重ねて収容されており、送り出しローラ３２が記録媒体Ｐを１枚ずつ搬送路３４に送り出し、搬送ローラ３３が記録媒体Ｐを搬送路３４に沿って矢印Ｃの方向に搬送する。
画像形成部１０Ｙ、１０Ｍ、１０Ｃ、１０Ｋは、画像処理部３から供給されたラスタデータに基づいて、電子写真方式によりそれぞれＹ色、Ｍ色、Ｃ色、Ｋ色のトナー像を生成し、これらのトナー像を記録媒体Ｐに重ねて転写する。以下、画像形成部１０Ｙ、１０Ｍ、１０Ｃ、１０Ｋを画像形成部１０と総称する。
【００２０】
ＵＩ部１は、表示部１ａと受付部１ｂとを有する。表示部１ａは、ユーザが印刷装置１００を操作するための操作画面を表示する。表示部１ａは、例えば、液晶や有機ＥＬ（Electro-Luminescence）素子などを用いた表示装置であり、平面状の表示面を有する。操作画面は、印刷装置１００が有する各機能に対応する仮想的な操作子（いわゆる、アイコン）を配置した画面である。
【００２１】
受付部１ｂは、印刷装置１００に対するユーザの操作を受け付ける。受付部１ｂは、例えば、表示部１ａの表示面を覆うように設けられたタッチパネルであり、ユーザは、タッチパネル越しに見える操作画面上で操作を行う。タッチパネルにユーザの指が接触すると、指の接触位置を表す接触位置情報を受付部１ｂが制御部４に出力する。制御部４は、接触位置情報に基づいて操作の内容を特定し、その内容に応じて印刷装置１００を動作させる。
【００２２】
図３は、携帯端末２００のハードウェア構成を示す図である。
制御部２０１は、ＣＰＵなどの演算装置と、ＲＯＭやＲＡＭなどの記憶装置とを備える（いずれも図示省略）。ＲＯＭには、ハードウェアやＯＳの起動の手順を記述したファームウェアが記憶されている。ＲＡＭは、ＣＰＵが演算を実行する際のデータの記憶に用いられる。記憶部２０２は、例えばＥＥＰＲＯＭ（Electronically Erasable and Programmable ROM）やＳＲＡＭ（Static Random Access Memory）などの記憶装置を備え、ＯＳやアプリケーションプログラムなどが記憶されている。
【００２３】
ＮＦＣ通信部２０３は、印刷装置１００との間でＮＦＣによる通信を行うための通信Ｉ／Ｆであり、例えば、非接触型ＩＣカードを装着するスロットである。無線ＬＡＮ通信部２０４は、携帯端末２００を無線ＬＡＮに接続するための通信Ｉ／Ｆである。
なお、携帯端末２００には、携帯端末２００を携帯電話の通信網に接続するための通信Ｉ／Ｆや、通話のためのスピーカ、マイクロホン、音声処理回路などが備えられていてもよい（図示省略）。
【００２４】
ＵＩ部２０６は、表示部２０６ａと受付部２０６ｂとを有する。表示部２０６ａは、ユーザが携帯端末２００を操作するための操作画面を表示する。表示部２０６ａは、例えば、液晶や有機ＥＬ素子などを用いた表示装置であり、平面状の表示面を有する。操作画面は、携帯端末２００が有する各機能に対応する仮想的な操作子（いわゆる、アイコン）を配置した画面である。
【００２５】
受付部２０６ｂは、携帯端末２００に対するユーザの操作を受け付ける。受付部２０６ｂは、例えば、表示部２０６ａの表示面を覆うように設けられたタッチパネルであり、ユーザは、タッチパネル越しに見える操作画面上で操作を行う。タッチパネルにユーザの指先が接触すると、指先の位置を表す接触位置情報を受付部２０６ｂが制御部４に出力する。制御部４は、接触位置情報に基づいて操作の内容を特定し、その内容に応じて携帯端末２００を動作させる。
【００２６】
図４は、携帯端末２００の機能構成を示す図である。
最初に、取得手段２１０について説明する。取得手段２１０は、印刷装置１００に表示される操作画面に関する第１情報を取得する。具体的には、記憶部５には、印刷装置１００のＩＰアドレスと第１情報が記憶されている。ＩＰアドレスは、携帯端末２００が無線ＬＡＮで印刷装置１００に印刷データなどの情報を送信する場合の宛先として使用される。第１情報は、印刷装置１００の表示部１ａに表示される操作画面に関する情報であり、例えば、画面サイズに関する情報である。画面サイズに関する情報は、操作画面の面積でもよいし、操作画面の高さ、幅、操作画面に同時に表示し得るアイコンの数などでもよい。なお、ＩＰアドレスと第１情報は、ＮＦＣ通信部６に備えられたメモリ（図示省略）に記憶されていてもよい。
【００２７】
ユーザが携帯端末２００を印刷装置１００のＮＦＣ通信部６にかざすと、印刷装置１００と携帯端末２００との間でＮＦＣが開始される。すると、印刷装置１００の制御部４は、記憶部５から読み出したＩＰアドレスと第１情報をＮＦＣ通信部６を介して携帯端末２００に送信する。送信されたＩＰアドレスと第１情報は、携帯端末のＮＦＣ通信部２０３によって受信され、制御部２０１が、受信したＩＰアドレスと第１情報を記憶部２０２に記憶させる。
【００２８】
次に、送信手段２２０について説明する。送信手段２２０は、取得手段２１０によって取得された第１情報と、携帯端末２００に表示される操作画面に関する第２情報との比較の結果が、携帯端末２００に表示される操作画面よりも印刷装置１００に表示される操作画面が優位であることを示す場合に、印刷装置１００に表示された操作画面上で指定されたパラメータに応じた印刷を実行させるための印刷データを印刷装置１００に送信する。また、送信手段２２０は、第１情報と第２情報との比較の結果が、携帯端末２００に表示される操作画面よりも印刷装置１００に表示される操作画面が優位であることを示さない場合に、携帯端末２００に表示された操作画面上で指定されたパラメータと印刷データとを印刷装置１００に送信する。具体的には、以下のとおりである。
【００２９】
第２情報は、携帯端末２００の表示部２０６ａに表示される操作画面に関する情報であり、例えば、画面サイズに関する情報である。画面サイズに関する情報は、操作画面の面積でもよいし、操作画面の高さ、幅、操作画面に同時に表示し得るアイコンの数などでもよい。第２情報は、記憶部２０２に記憶されている。前述の取得手段２１０によって第１情報を取得すると、制御部２０１は、記憶部２０２から第２情報を読み出し、第１情報と第２情報との比較を行い、比較の結果に基づいて、携帯端末２００に表示される操作画面と印刷装置１００に表示される操作画面の優劣を判定する。例えば、第２情報で示される画面サイズよりも第１情報で示される画面サイズが大きい場合、携帯端末２００よりも印刷装置１００の方が操作画面の視認性が優れていることになるから、制御部２０１は、携帯端末２００に表示される操作画面よりも印刷装置１００に表示される操作画面が優位であると判定する。なお、第２情報は、ＮＦＣ通信部２０３のスロットに装着された非接触型ＩＣカード（図示省略）に記憶されていてもよい。
【００３０】
一方、第１情報で示される画面サイズよりも第２情報で示される画面サイズが大きい場合、印刷装置１００よりも携帯端末２００の方が操作画面の視認性が優れていることになるから、制御部２０１は、印刷装置１００に表示される操作画面よりも携帯端末２００に表示される操作画面が優位であると判定する。また、印刷装置１００と携帯端末２００の画面サイズが同じである場合は、両者の操作画面の視認性が同等ということになるから、印刷装置１００に表示される操作画面と携帯端末２００に表示される操作画面との間に優劣はない。
【００３１】
第１情報と第２情報の比較の結果が、携帯端末２００に表示される操作画面よりも印刷装置１００に表示される操作画面が優位であることを示す場合、携帯端末２００の操作画面は、印刷のパラメータ（例えば、片面印刷／両面印刷、拡大／縮小の倍率、複数ページを１ページにまとめる場合のページ数など）の指定には使用されない。この場合、制御部２０１は、印刷のパラメータを付加せずに、印刷データを無線ＬＡＮで印刷装置１００に送信する。この印刷データは、例えば、ワードプロセッサや表計算などのソフトウェアを用いて編集された文書、ＨＴＭＬ（HyperText Markup Language）などのマークアップ言語で記述された文書、ラスタ形式やベクタ形式の画像など、いかなる形式のデータでもよいし、これらのデータをPostScript（登録商標）などのページ記述言語に変換したデータでもよい。
【００３２】
一方、第１情報と第２情報の比較の結果が、携帯端末２００に表示される操作画面よりも印刷装置１００に表示される操作画面が優位であることを示さない場合、表示部２０６ａが操作画面を表示し、ユーザが操作画面上で印刷のパラメータを指定する操作を行う。受付部２０６ｂは、接触位置情報を制御部２０１に出力し、制御部２０１は、接触位置情報に基づいて、ユーザが指定したパラメータを特定する。制御部２０１は、ユーザが指定したパラメータと印刷データとを無線ＬＡＮで印刷装置１００に送信する。
【００３３】
図５は、印刷装置１００の機能構成を示す図である。
最初に、受信手段１１０について説明する。受信手段１１０は、携帯端末２００から印刷データを受信する。具体的には、携帯端末２００が印刷装置１００に無線ＬＡＮで印刷データを送信すると、無線ＬＡＮ通信部７が印刷データを受信し、受信した印刷データを制御部４に出力する。また、受信手段１１０は、携帯端末２００から印刷データとともに印刷パラメータが送信された場合には、このパラメータを受信する。
【００３４】
次に、受付手段１２０について説明する。受付手段１２０は、印刷装置１００に表示された操作画面上で印刷のパラメータの指定を受け付ける。具体的には、ユーザが表示部２０６ａに表示された操作画面上で印刷のパラメータを指定する操作を行う。受付部２０６ｂは、接触位置情報を制御部４に出力し、制御部４は、接触位置情報に基づいて、ユーザが指定したパラメータを特定する。
【００３５】
次に、実行手段１３０について説明する。実行手段１３０は、受信手段１１０によって受信された印刷データと受付手段１２０によって指定が受け付けられたパラメータとに応じた印刷を実行する。前述のとおり、第１情報と第２情報との比較の結果が、携帯端末２００に表示される操作画面よりも印刷装置１００に表示される操作画面が優位であることを示す場合、携帯端末２００の制御部２０１は、印刷のパラメータを付加せずに、印刷データを印刷装置１００に送信する。一方、第１情報と第２情報の比較の結果が、携帯端末２００に表示される操作画面よりも印刷装置１００に表示される操作画面が優位であることを示さない場合、携帯端末２００の制御部２０１は、携帯端末２００に表示された操作画面上でユーザが指定したパラメータと印刷データとを印刷装置１００に送信する。
【００３６】
印刷装置１００の制御部４は、携帯端末２００から受信した印刷データに印刷のパラメータが付加されているか否かを判定する。印刷データに印刷のパラメータが付加されていない場合には、表示部１ａが操作画面を表示し、ユーザが操作画面上で行った操作を受付部１ｂが受け付ける。制御部４は、ユーザが操作画面上で指定したパラメータと印刷データとを画像処理部３に出力する。一方、印刷データに印刷のパラメータが付加されている場合には、この印刷データと印刷のパラメータとを画像処理部３に出力する。
【００３７】
図６は、実施形態の動作を示す流れ図である。
ステップＳ２０１においては、ユーザが、携帯端末２００を操作して、印刷データを選択し、当該印刷データに対応するアプリケーションプログラムを起動して当該印刷データが表す画像を表示部２０６ａに表示させる。
ステップＳ２０２においては、携帯端末２００の制御部２０１が、印刷ボタンが押下されたか否かを判定する。ユーザが画面上の印刷ボタンを押下すると（ステップＳ２０２：ＹＥＳ）、制御部２０１の処理はステップＳ２０３に進む。
ステップＳ２０３においては、携帯端末２００の制御部２０１が、タッチ待ちの状態を表す画面を表示部２０６ａに表示させる。タッチ待ちの状態とは、携帯端末２００を印刷装置１００のＮＦＣ通信部６にかざすことを促す画面を表示部２０６ａに表示した状態である。
【００３８】
ステップＳ１０１においては、印刷装置１００の制御部４が、携帯端末２００を検知したか否かを周期的に判定する。具体的には、印刷装置１００のＮＦＣ通信部６は、周期的に問い合わせ信号を発信しており、ユーザが携帯端末２００を印刷装置１００のＮＦＣ通信部６にかざすと、携帯端末２００のＮＦＣ通信部２０３が問い合わせ信号を受信し、印刷装置１００のＮＦＣ通信部６に対して応答信号を送信する。この応答信号を受信すると、印刷装置１００の制御部４は、携帯端末２００が検知されたと判定する（ステップＳ１０１：ＹＥＳ）。
ステップＳ１０２においては、印刷装置１００の制御部４が、印刷装置１００のＩＰアドレスと第１情報をＮＦＣによって携帯端末２００に送信する。
【００３９】
ステップＳ２０４においては、携帯端末２００の制御部２０１が、印刷装置１００のＩＰアドレスと第１情報を受信したか否かを周期的に判定する。ＩＰアドレスと第１情報を受信したならば（ステップＳ２０４：ＹＥＳ）、制御部２０１は、受信したＩＰアドレスと第１情報を記憶し、ステップＳ２０５の処理に進む。
ステップＳ２０５においては、携帯端末２００の制御部２０１が、第１情報と第２情報とを比較して、印刷装置１００に表示される操作画面と携帯端末２００に表示される操作画面のどちらが優位であるかを判定する。第１情報と第２情報の比較の結果が、携帯端末２００に表示される操作画面よりも印刷装置１００に表示される操作画面が優位であることを示す場合（ステップＳ２０５：ＹＥＳ）、制御部２０１の処理はステップＳ２０６に進む。一方、第１情報と第２情報の比較の結果が、携帯端末２００に表示される操作画面よりも印刷装置１００に表示される操作画面が優位であることを示さない場合（ステップＳ２０５：ＮＯ）、制御部２０１の処理はステップＳ２０７に進む。
【００４０】
ステップＳ２０６においては、携帯端末２００の制御部２０１が、印刷のパラメータを付加せずに、印刷データを、ステップＳ２０４で受信したＩＰアドレスを宛先として、無線ＬＡＮで印刷装置１００に送信する。
ステップＳ２０７においては、携帯端末２００の表示部２０６ａが操作画面を表示し、ユーザが操作画面上で印刷のパラメータを指定する操作を行う。受付部２０６ｂは、接触位置情報を制御部２０１に出力し、制御部２０１は、接触位置情報に基づいて、ユーザが指定したパラメータを特定する。
ステップＳ２０８においては、携帯端末２００の制御部２０１が、ユーザが指定したパラメータと印刷データとを、ステップＳ２０４で受信したＩＰアドレスを宛先として、無線ＬＡＮで印刷装置１００に送信する。なお、ユーザが指定したパラメータに応じて印刷データをページ記述言語に変換した印刷データを送信するようにしてもよい。
【００４１】
ステップＳ１０３においては、印刷装置１００の制御部４が、印刷データと印刷のパラメータとを受信したか否かを判定する。印刷データと印刷のパラメータとを受信した場合（ステップＳ１０３：ＹＥＳ）には、制御部４の処理はステップＳ１０５に進み、印刷データを受信したが、印刷のパラメータを受信しなかった場合（ステップＳ１０３：ＮＯ）には、制御部４の処理はステップＳ１０４に進む。
ステップＳ１０４においては、表示部１ａが操作画面を表示し、ユーザが操作画面上で印刷のパラメータを指定する操作を行う。受付部１ｂは、接触位置情報を制御部４に出力し、制御部４は、接触位置情報に基づいて、ユーザが指定したパラメータを特定する。
ステップＳ１０５においては、印刷装置１００の制御部４が、印刷のパラメータと印刷データとを画像処理部３に出力する。画像処理部３は、印刷のパラメータに基づいて印刷データをラスタデータに変換して画像形成部１０に出力し、画像形成部１０は、ラスタデータに基づく画像を印刷する。
以上が、本実施形態の動作である。
【００４２】
携帯端末や印刷装置に表示される操作画面は機種によってそのサイズや機能がまちまちであるため、携帯端末と印刷装置を連係させるシステムにおいて一方の操作画面だけを使用するようにすると、ユーザにとって使いにくい方の操作画面の使用を強いられる事態が生じ得る。本実施形態では、携帯端末が第１情報と第２情報とを比較し、携帯端末に表示される操作画面よりも印刷装置に表示される操作画面が優位である場合に、印刷装置に表示される操作画面を使用させるように構成されているから、ユーザが使用する携帯端末と印刷装置の組み合わせに応じて、ユーザにとって有利な方の操作画面が選択される。
【００４３】
また、本実施形態では、最初にユーザが携帯端末を印刷装置のＮＦＣ通信部にかざす操作によってＮＦＣによる通信が開始され、印刷装置のＩＰアドレスと第１情報が携帯端末に送信される。携帯端末は、このＩＰアドレスを宛先として、無線ＬＡＮで印刷データを印刷装置に送信する。印刷データは、ＩＰアドレスや第１情報と比べてデータ量が多いが、本実施形態では、印刷データを無線ＬＡＮで送信するので、ＮＦＣで印刷データを送信するよりも送信に要する時間が短縮される。
【００４４】
＜変形例＞
実施形態を次のように変形してもよい。また、複数の変形例を組み合わせてもよい。
＜変形例１＞
印刷装置１００と携帯端末２００の操作画面の比較の結果をユーザに提示した上で、使用する操作画面をユーザが選択するようにしてもよい。例えば、携帯端末２００よりも印刷装置１００の方が画面サイズが大きい場合であっても、印刷装置１００の操作画面を使い慣れていないなどの理由により、ユーザが携帯端末２００の操作画面の使用を望む場合がある。このような場合のために、例えば、第１情報と第２情報との比較の結果が携帯端末２００に表示される操作画面よりも印刷装置１００に表示される操作画面が優位であることを示す場合に、パラメータの指定を印刷装置１００に表示された操作画面上で行うか否かの指示を携帯端末２００の受付部２０６ｂで受け付け、パラメータの指定を印刷装置１００に表示された操作画面上で行う旨の指示が受け付けられた場合に、印刷装置１００に表示された操作画面上でパラメータの指定を受け付けるようにしてもよい。また、パラメータの指定を携帯端末２００で行う旨の指示が受け付けられた場合に、携帯端末２００でパラメータの指定を受け付けるようにしてもよい。
【００４５】
＜変形例２＞
実施形態では、携帯端末に表示される操作画面よりも印刷装置に表示される操作画面が優位である場合に、印刷のパラメータを送信せずに、印刷データのみを携帯端末２００から印刷装置１００に送信する例を示したが、この場合、印刷装置１００で指定されたパラメータに応じて印刷装置１００が印刷データを変換すると画質の低下を生じることがあり得る。このような事態を防ぐために、例えば、携帯端末２００が、印刷装置１００に表示された操作画面上で指定されたパラメータを受信し、このパラメータに応じて印刷データを変換し、変換した印刷データを印刷装置１００に送信するようにしてもよい。
なお、携帯端末２００が、受信したパラメータに応じて印刷データを変換せずに、このパラメータを印刷データに付加して印刷装置１００に送信するようにしてもよい。
【００４６】
＜変形例３＞
実施形態では、携帯端末２００が印刷装置１００に印刷データを送信する例を示したが、携帯端末２００が印刷装置１００に印刷データの格納場所に関する情報を送信するようにしてもよい。印刷データの格納場所に関する情報とは、例えば、印刷データの格納場所のＵＲＬ（Uniform Resource Locator）である。図７は、変形例３の動作を示す流れ図である。以下、実施形態の流れ図（図６）と異なる点のみ説明する。
【００４７】
ステップＳ２０１ａにおいては、携帯端末２００の制御部２０１がサーバにアクセスし、画像を表すデータのリスト（ファイル名、サムネイル、ＵＲＬなどを含む）を取得する。表示部２０６ａがリストの内容を表示し、ユーザが、携帯端末２００を操作して、印刷する画像を表すデータを選択し、当該データに対応するアプリケーションプログラムを起動して当該データが表す画像を表示部２０６ａに表示させる。
ステップＳ１０２ａにおいては、印刷装置１００の制御部４が、印刷装置１００の第１情報をＦＮＣによって携帯端末２００に送信する。印刷装置１００のＩＰアドレスは送信しない。
ステップＳ２０４ａにおいては、携帯端末２００の制御部２０１が、印刷装置１００の第１情報を受信したか否かを周期的に判定する。第１情報を受信したならば（ステップＳ２０４ａ：ＹＥＳ）、制御部２０１は、受信した第１情報を記憶し、ステップＳ２０５の処理に進む。
【００４８】
ステップＳ２０６ａにおいては、携帯端末２００の制御部２０１が、印刷データの格納場所のＵＲＬをＮＦＣによって印刷装置１００に送信する。
ステップＳ２０８ａにおいては、携帯端末２００の制御部２０１が、ユーザが指定したパラメータと、印刷データの格納場所のＵＲＬとをＮＦＣによって印刷装置１００に送信する。
ステップＳ１０２ｂにおいては、印刷装置１００の制御部４がＵＲＬを受信し、ＵＲＬに対応するデータを取得する。
この構成によれば、携帯端末２００から印刷装置１００に送信するデータの量が削減される。
【００４９】
＜変形例４＞
実施形態では、第１情報及び第２情報が操作画面の画面サイズに関する情報である例を示したが、第１情報及び第２情報は他の情報でもよい。例えば、第１情報及び第２情報は、操作画面の表示色に関する情報でもよい。表示色に関する情報とは、例えば、単色／複数色の種別、色解像度などである。印刷装置１００と携帯端末２００の一方が単色、他方が複数色の場合、複数色の操作画面を備える方が優位と判定されるようにしてもよいし、印刷する画像に応じてこの判定を異ならせてもよい。例えば、印刷する画像が複数色の場合には操作画面も複数色の方がプレビュー機能における色の再現性が優れ、その結果、操作画面の視認性が優れるから、印刷する画像が複数色の場合に複数色の操作画面が優位と判定されるようにしてもよい。
また、第１情報及び第２情報は、タッチパネル機能に関する情報でもよい。タッチパネル機能に関する情報とは、例えば、タッチパネル機能の有無であり、印刷装置１００と携帯端末２００の一方がタッチパネル機能を備え、他方がタッチパネル機能を備えない場合、タッチパネル機能を備える方が操作性が優れるから、優位と判定される。
【００５０】
＜変形例５＞
実施形態では、第１情報及び第２情報がただ１つの情報を含む例を示したが、第１情報及び第２情報が複数の情報を含むようにして、この複数の情報に基づいて優位な操作画面を判定するようにしてもよい。図８は、第１情報及び第２情報が複数の情報を含む例を示す図である。ここで、（ａ）が第１情報（印刷装置１００）、（ｂ）が第２情報（携帯端末２００）であると仮定する。例えば、優位な項目の数によって判定すると、印刷装置１００が優位である項目は１つ（画面サイズ）であり、携帯端末２００が優位である項目は２つ（表示色とタッチパネル機能）であるから、携帯端末２００の操作画面が優位であると判定される。あるいは、項目毎に重み付けを行って点数を計算し、この点数の合計で判定してもよい。例えば、画面サイズに対して３、表示色とタッチパネル機能に対して１の重み付けを行うとすると、印刷装置１００の点数が３となり、携帯端末２００の点数が２となるから、印刷装置１００の操作画面が優位であると判定される。あるいは、優先順位の高い項目から順番に優劣を判定し、印刷装置１００と携帯端末２００のどちらかが優位であると判定されたならば、その項目の判定結果によって操作画面の優劣を決定してもよい。例えば、優先順位が画面サイズ、表示色、タッチパネル機能の順であるとすると、最初の項目である画面サイズについて印刷装置１００の方が優位であるから、表示色とタッチパネル機能については比較を行わず、印刷装置１００の操作画面が優位であると判定する。
【００５１】
＜変形例６＞
第１情報及び第２情報に、操作画面で指定し得るパラメータの種類を表す情報を記述しておき、この情報の比較によって操作画面の優劣を判定するようにしてもよい。パラメータの種類としては、例えば、両面印刷機能、複数ページを１ページにまとめて印刷する機能、ステープル機能、中綴じ製本機能などがある。判定の手順としては、例えば、これらのパラメータの数を比較して数の多い方を優位と判定するようにしてもよいし、パラメータ毎に重み付けを行って点数の合計を比較するようにしてもよい。あるいは、第１情報と第２情報との比較の結果、第１情報だけに含まれるパラメータがある場合に、そのパラメータの種類をユーザに報知し、印刷装置１００の操作画面を使用するか否かをユーザに判断させるようにしてもよい。
【００５２】
＜変形例７＞
実施形態では、印刷装置１００の制御部４が、携帯端末２００から印刷のパラメータを受信しなかった場合に、印刷装置１００に表示された操作画面でパラメータの指定を受け付ける例を示したが、印刷装置１００に表示された操作画面でパラメータの指定を受け付けるか否かを示す情報を印刷データに付加して携帯端末２００が印刷装置１００に送信し、この情報に基づいて、印刷装置１００の制御部４が、印刷装置１００に表示された操作画面でパラメータの指定を受け付けるか否かを判断するようにしてもよい。
【００５３】
＜変形例８＞
実施形態では、携帯端末２００に表示される操作画面よりも印刷装置１００に表示される操作画面が優位である場合に、印刷のパラメータを付加せずに、携帯端末２００が印刷データを印刷装置１００に送信する例を示したが、デフォルトのパラメータを印刷データに付加して送信するようにしてもよい。
【００５４】
＜変形例９＞
実施形態では、印刷装置１００に表示される操作画面に関する第１情報を印刷装置１００から携帯端末２００に送信する例を示したが、印刷装置１００の機種に対応付けられた識別子と第１情報とを対応付けて携帯端末２００の記憶部２０２に記憶させておき、印刷装置１００から送信された識別子に対応する第１情報を制御部２０１が記憶部２０２から読み出すようにしてもよい。
【００５５】
＜変形例１０＞
実施形態では、携帯端末２００がＮＦＣによって印刷装置１００からＩＰアドレスと第１情報を取得し、携帯端末２００が無線ＬＡＮによって印刷装置１００に印刷データを送信する例を示したが、携帯端末２００が無線ＬＡＮによって印刷装置１００からＩＰアドレスと第１情報を取得するようにしてもよい。また、携帯端末２００がＮＦＣによって印刷装置１００に印刷データを送信するようにしてもよい。また、無線ＬＡＮの代わりにBluetooth（登録商標）などの無線通信手段を用いてもよい。また、実施形態では、アドホックモードの無線ＬＡＮを用いる例を示したが、インフラストラクチャーモードの無線ＬＡＮを用いてもよい。
また、携帯端末２００に印刷装置１００のＩＰアドレスを予め記憶させておき、印刷装置１００から第１情報のみを携帯端末２００に送信するようにしてもよい。
【００５６】
＜変形例１１＞
実施形態では、印刷装置１００が操作画面を表示する機能を備えている例を示したが、印刷装置１００が操作画面を表示する機能を備えていない構成に本発明を適用してもよい。例えば、第１情報が操作画面を表示する表示部１ａの有無を示す情報を含み、第１情報が印刷装置１００に表示部１ａが備えられていないことを示す場合、携帯端末２００の方が操作性が優れていることになるから、携帯端末２００の制御部２０１は、携帯端末２００に表示される操作画面が優位であると判定し、携帯端末２００の操作画面でパラメータの指定を受け付けるようにしてもよい。
【００５７】
＜変形例１２＞
実施形態では、携帯端末２００の操作画面と印刷装置１００の操作画面のどちらをユーザに使用させるかを携帯端末２００が判断する例を示したが、この判断を印刷装置１００が行うようにしてもよい。例えば、印刷装置１００が、携帯端末２００に表示される操作画面に関する第１情報を取得し、取得された第１情報と、印刷装置１００に表示される操作画面に関する第２情報との比較の結果が、携帯端末２００に表示される操作画面よりも印刷装置１００に表示される操作画面が優位であることを示す場合に、携帯端末２００から受信した印刷データと、印刷装置１００に表示された操作画面上で指定されたパラメータとに応じた印刷を実行するようにしてもよい。
【００５８】
＜変形例１３＞
実施形態では、携帯端末から印刷装置に印刷データを送信するシステムに本発明を適用した例を示したが、印刷装置以外の電子機器に対して携帯端末から何らかの指示を送信するシステムに本発明を適用してもよい。この電子機器は、例えば、複写機、ファクシミリ装置、表示装置など、いかなる機器でもよい。
【００５９】
＜変形例１４＞
実施形態では、携帯端末及び印刷装置がプログラムを実行することによって上記の機能を実現する例を示したが、このプログラムを、光記録媒体、半導体メモリ等、コンピュータで読み取り可能な記録媒体に記録して提供し、この記録媒体からプログラムを読み取って携帯端末や印刷装置にインストールするようにしてもよい。また、このプログラムを電気通信回線で提供してもよい。また、実施形態と同様の機能を携帯端末及び印刷装置にハードウェアで実装してもよい。
【符号の説明】
【００６０】
１００…印刷装置、１…ＵＩ部、１ａ…表示部、１ｂ…受付部、２…読取部、３…画像処理部、４…制御部、５…記憶部、６…ＮＦＣ通信部、７…無線ＬＡＮ通信部、１０…画像形成部、３０…搬送部、１１０…受信手段、１２０…受付手段、１３０…実行手段、２００…携帯端末、２０１…制御部、２０２…記憶部、２０３…ＮＦＣ通信部、２０４…無線ＬＡＮ通信部、２０６…ＵＩ部、２０６ａ…表示部、２０６ｂ…受付部、２１０…取得手段、２２０…送信手段
【図１】
2015072546.tif 000003
【図２】
2015072546.tif 000004
【図３】
2015072546.tif 000005
【図４】
2015072546.tif 000006
【図５】
2015072546.tif 000007
【図６】
2015072546.tif 000008
【図７】
2015072546.tif 000009
【図８】
2015072546.tif 000010